(57)【要約】      （修正有）【課題】有料駐車場の利用者が再度利用したくなるような手段を提供する。【解決手段】有料駐車場Ｐ２にある二次元バーコードＱ１等を備えた案内看板Ｂ１等がインターネット網を介して接続された管理サーバーＣＳ１は誘導Ｗｅｂサイト１０やＷｅｂサイト管理手段２０やデータ制御部３０及び４０や顧客応答フィードバック手段５０を管理・制御し、誘導Ｗｅｂサイト１０はコンテンツ１１等を、Ｗｅｂサイト管理手段２０はプログラム２１等を、データ制御部３０は駐車場利用促進情報データ３１等を、データ制御部４０は自動車関連設問データ４１等を、顧客応答フィードバック手段５０は顧客ファイル５１やＰＦ１対策部５２等やＮＦ１対策部５６等を夫々管理・制御することで、有料駐車場Ｐ２の利用者Ｃ１等が移動通信端末Ｔ１等を介して二次元バーコードＱ１等を利用した場合に、利用者Ｃ１等が有料駐車場Ｐ２を再度利用する確率を向上させるサービスを提供する。【選択図】図１
2012226718.tif 000002
【特許請求の範囲】
【請求項１】
自動車を時間単位又は日数単位で有料で駐車させる有料駐車場に設けられる駐車管理装置又は駐車券発券機又は駐車料金自動精算機又は駐車場関連設備又は路上案内又は路面案内などから選択される少なくとも一つにＷｅｂサイト誘導手段を設け、また前記Ｗｅｂサイト誘導手段を介して誘導されるＷｅｂサイトには顧客応答フィードバック手段を設け、前記Ｗｅｂサイト誘導手段を検出する移動通信端末を有する前記駐車場の利用者が前記移動通信端末を介して前記顧客応答フィードバック手段を利用したときに、前記利用者の反応に応じて選択された前記駐車場の利用を促進させる情報を前記移動通信端末に送信することを特徴とする駐車場の利用促進手段。
【請求項２】
。自動車を時間単位または日数単位で有料で駐車させる有料駐車場に設けられるパーキングメータ又は駐車券発券機又は駐車料金自動精算機などから出力される印刷物、又は前記駐車場の運営管理者が発行する印刷物、などから選択される少なくとも一つにＷｅｂサイト誘導手段を設け、また前記Ｗｅｂサイト誘導手段を介して誘導されるＷｅｂサイトには顧客応答フィードバック手段を設け、前記Ｗｅｂサイト誘導手段を検出する移動通信端末を有する前記駐車場の利用者が前記移動通信端末を介して前記顧客応答フィードバック手段を利用したときに、前記利用者の反応に応じて選択された前記駐車場の利用を促進させる情報を前記移動通信端末に送信することを特徴とする駐車場の利用促進手段
【請求項３】
前記駐車管理装置又は前記駐車券発券機又は前記駐車料金自動精算機又は前記駐車場関連設備、などから選択される少なくとも一つにＷｅｂサイト誘導手段の発行手段を設けることを特徴とする、請求項１又は請求項２に記載の駐車場の利用促進手段。
【発明の詳細な説明】
【技術分野】
【０００１】  本発明は、有料駐車場内にＷｅｂサイト誘導手段を設け、このＷｅｂサイト誘導手段を介して誘導されるＷｅｂサイトには顧客応答フィードバック手段を設け、有料駐車場の利用者が移動通信端末を介して前記顧客応答フィードバック手段を利用すると前記端末に前記誘導Ｗｅｂサイトから前記駐車場の再利用を促進させる情報を送信し、前記利用者のリピータ化を図ることを特徴とする、駐車場の利用促進手段に関する。
【背景技術】
【０００２】  本願発明者や本願出願人は、平成２１年２月１１日に、商品の販売店において、Ｗｅｂサイト誘導手段及び第一販売促進情報を表示した商品（又はその包装材）、商品（又はその包装材）に付設されるＷｅｂサイト誘導手段及び第一販売促進情報を表示した印刷物、商品（又はその包装材）の近傍に設置されるＷｅｂサイト誘導手段及び第一販売促進情報を表示した印刷物、商品（又はその包装材）を設置する設置具の一部にＷｅｂサイト誘導手段及び第一販売促進情報を表示した印刷物を付設させたＷｅｂサイト誘導手段付き設置具、等から顧客が前記Ｗｅｂサイト誘導手段を読み取る移動通信端末を介して、Ｗｅｂサイトに設けたアンケート情報に誘導できるようにし、顧客が前記アンケート情報内のレベルに応じて構成された質問に応答すると、前記応答レベルに応じて前記移動通信端末に第二販売促進情報を送信できるようにした事を特徴とする、「販売促進用Ｗｅｂサイト誘導手段」の特許出願を行なった。（特許文献１を参照する）【０００３】  また、近年、土地または建物の有効利用の手段の一つとして、車両の駐車を業とする有料駐車場の設置が増えてきた。そのため、有料駐車場同士の競争が生じたり、有料駐車場を利用しようと考えている車両の運転者が選択に悩んだりするケースも増えてきた。また、土地または建物の有効利用の手段の一つとして、有料駐車場の設置を業とする駐車場設置業者も増えてきて、遊休土地または遊休建物または建物内の遊休空間をめぐって業者同士の競争も生じるようになってきた。また遊休土地または遊休建物または建物内の遊休空間を有料駐車場にしたいと考えている所有者において、駐車場設置業者の選択に悩むケースがあることが知られるようになってきた。【０００４】  また上述した有料駐車場に関しては、路上である場合、建築物内（例えば、立体駐車場、建築物内の一部の利用）である場合、建築物外（例えば、屋上、屋上の一部）である場合、建築物を含む敷地内、建築物を含まない敷地、建築物の無い敷地、などでの利用が知られている。また前記有料駐車場には有人タイプと無人タイプがあることが知られている。また路上でなく無人タイプの有料駐車場における一般的なタイプの一例目として、自動車の入場路、自動車の入場ゲート装置、入場路と入場ゲート装置の間に駐車券発券機、誘導路、駐車区間、駐車区間内に設けた車輪止め、自動車の退場ゲート装置、自動車の退場ゲート装置の手前に自動精算機、自動車の退場路、などで構成されているタイプをタイプ１と例示する。また路上でなく無人タイプの有料駐車場における一般的なタイプの二例目として、自動車の入退場路、駐車区間、駐車区間内に設けた車輪止め、駐車区間内に設けた自動車を固定させるフラップ装置、有料駐車場内に設けた自動精算機、などで構成されているタイプをタイプ２と例示する。また路上であり無人タイプの有料駐車場における一般的なタイプの三例目として、自動車の駐車区間、路上で駐車区間の近傍に設けた自動精算機、などで構成されているタイプをタイプ３と例示する。【０００５】
【特許文献１】  特開２０１０−１８６４５７号公報
【発明の開示】
【発明が解決しようとする課題】
【０００６】  本願発明者や本願出願人は、現在、新潟市内のスーパーにおいて、特開２０１０−１８６４５７号の「販売促進用Ｗｅｂサイト誘導手段」の発明を実施すべく実験中であるが、実験を進める中で、予想以上に消費者の反応が良いことを見出し、本願発明者や本願出願人は、この特開２０１０−１８６４５７号の発明が他の分野にも応用できるかもしれない、という仮説を出した。【０００７】  また、有料駐車場の設置を業とする駐車場設置業者などから、本願発明者や本願出願人などに、同業他社からの差別化するための手段がないものかという相談が寄せられるようになってきた。【０００８】  本発明は、上記の課題を解決するために成されたものであり、自動車を時間単位または日数単位で有料で駐車させる有料駐車場において、この有料駐車場の利用者が再度利用したくなるような手段の提供を目的とする。
【課題を解決するための手段】
【０００９】  課題を解決するための第一の手段（請求項１）は、自動車を時間単位又は日数単位で有料で駐車させる有料駐車場に設けられる駐車管理装置又は駐車券発券機又は駐車料金自動精算機又は駐車場関連設備又は路上案内又は路面案内、などから選択される少なくとも一つにＷｅｂサイト誘導手段を設け、また前記Ｗｅｂサイト誘導手段を介して誘導されるＷｅｂサイトには顧客応答フィードバック手段を設け、前記Ｗｅｂサイト誘導手段を検出する移動通信端末を有する前記駐車場の利用者が前記移動通信端末を介して前記顧客応答フィードバック手段を利用したときに、前記利用者の反応に応じて選択された前記駐車場の利用を促進させる情報を前記移動通信端末に送信することを特徴とする駐車場の利用促進手段を提供すること。【００１０】  課題を解決するための第一の手段で記述した自動車に関しては、原動機を用いて車輪を回転させ、道路上を運転する車で、一般的には原動機付自転車以外の二輪車や三輪車や四輪車や六輪車や八輪車などを意味し、排気量の制限は設けないものとする。また前記原動機には、ガソリンや軽油や液化天然ガス、プロパンガス、アルコールやＤＭＥ（ディメチールエチレン）や水素ガスを用いた熱機関、電動機、前記熱機関と電動機の組合せによるハイブリッドエンジン、などが知られている。また前記電動機には、第二次電池で駆動するタイプ、第一次電池で駆動するタイプ、太陽光で駆動するタイプ、金属空気電池で駆動するタイプ、水素または炭化水素を燃料とする燃料電池で駆動するタイプ、などが知られている。また自動車に関しては、自家用車、商用車、タクシー、ハイヤー、トラック、などの制限は設けないものとする。
課題を解決するための第一の手段で記述した有料駐車場に関しては、路上である場合、建築物内（例えば、立体駐車場、建築物内の一部の利用）である場合、建築物外（例えば、屋上、屋上の一部）である場合、建築物を含む敷地内、建築物を含まない敷地、建築物の無い敷地、未利用の土地、更地、遊休地、などから単独または組合わされた駐車場可能地が有料駐車場として利用可能である。また前記有料駐車場には有人タイプと無人タイプがあることが知られていて、無人タイプの有料駐車場は機械設備（例えば、駐車券発券機、駐車券自動精算機、などが一般的に用いられている）だけで駐車料金の収受を行っているタイプであり、有人タイプの有料駐車場は駐車券の発券や駐車料金の収受を駐車場係員が担当しているタイプである。例えば前記立体駐車場には有人タイプ有料駐車場と無人タイプ有料駐車場が存在し、例えば駐車区間が可動式（一般的にはパーキングタワーとして知られている）の場合は有人タイプである場合が多い。また例えば駐車場が前記駐車場可能地で路上でない無人タイプである有料駐車場として、自動車の入場路、自動車の入場ゲート装置、入場路と入場ゲート装置の間に駐車券発券機、誘導路、駐車区間、駐車区間内に設けた車輪止め、自動車の退場ゲート装置、自動車の退場ゲート装置の手前に駐車料金自動精算機、自動車の退場路、などで構成されているタイプをタイプ１と示すものとする。また例えば駐車場が前記駐車場可能地で路上でない無人タイプである有料駐車場として、自動車の入退場路、駐車区間、駐車区間内に設けた車輪止め、駐車区間内に設けた自動車を固定させるフラップ装置、有料駐車場内に設けた駐車料金自動精算機、などで構成されているタイプをタイプ２と示すものとする。また例えば駐車場が路上であり無人タイプである有料駐車場として、自動車の駐車区間、路上で駐車区間の近傍に設けた駐車料金自動精算機、などで構成されているタイプをタイプ３と示すものとする。また例えば駐車場が立体駐車場で有人タイプである有料駐車場として、自動車の入退場路、自動車を収納し固定させる駐車ます、前記駐車ますが複数以上ありかつ可動式であり、駐車料金精算所、などで構成されているタイプをタイプ４と示すものとする。また例えば駐車場が立体駐車場または平面駐車場で有人タイプである有料駐車場として、自動車の入退場路、自動車の駐車区間、駐車料金精算所、などで構成されているタイプをタイプ５と示すものとする。【００１１】  課題を解決するための第一の手段で記述した前記駐車場に設けられる駐車管理装置に関しては、例えば、車両の有無を確認するセンサーまたは検出装置等を用いた自動車検出手段、自動車の入場ゲート装置、自動車の退場ゲート装置、駐車区間内に設けた自動車を固定させるフラップ装置、パーキングメータ、などを示している。
課題を解決するための第一の手段で記述した前記駐車場関連設備に関しては、例えば、前記駐車場の存在を案内する看板、前記駐車場の利用方法を説明する看板、前記駐車場に設けられる広告用の看板、駐車区間内に設けた車輪止め、自動車の退場時に点灯する警告灯、自動車に備えられた第二次電池用の充電装置、主に第二次電池からの電力で駆動する自動車用の充電装置、第二次電池からの電力で駆動することが可能な自動車用の充電装置、前記駐車場の敷地内またはスペース内に備えられた自動販売機、などを示している。また前記駐車場案内看板には電子看板の使用も可能である。また前記駐車場説明看板には電子看板の使用も可能である。また前記駐車場広告用看板には電子看板の使用も可能である。また前記駐車場案内看板は本明細書で記載した管理サーバーを介して遠隔制御できるようになっていても良い。
前記電子看板に関しては、従来の電光掲示板や看板やポスターなどの印刷物とは違い、電子情報やデジタルデータの表示装置である、デジタル表示装置を使用して広告等を配信（インターネット通信含む）や周辺機器を使って、移動携帯端末や各種読み取り装置との連動でコミュニケーションの役割をはたすハード部分の総称であり、通信機能付きの表示装置であり、双方向対応型の表示装置であり、テレビとパソコンと携帯電話を除く、前記デジタル表示装置付きの機器は全て電子看板機器になり得る。また前記電子看板は、例えば広告業界等では、電子看板をデジタルサイネージと呼んで成長分野と位置づけているが、ブロードバンドが普及すると多彩な表現方法が可能になる技術であるとして通信事業者や各種のサービス事業者、ポータルサイトなどのコンテンツ事業者は、こぞってブロードバンド時代に向けての準備を進めている、ことが知られている。また前記電子看板は、ディスプレー技術、ブロードバンド技術、コンテンツ（ｃｏｎｔｅｎｔｓ）、によって応用が可能である。当初は電光掲示板や看板の代わりとして街角への設置が注目されていたが、本発明では有料駐車場に応用するものとするが、用途も広告に限らず、例えば、案内や情報提供のために活用するものとする。本発明では、例えば、パソコンなどからインターネットを通じてデータを配信することで、従来型の電光掲示板や看板やポスターなどの印刷物とは違い、多彩な情報を瞬時に伝えたり、タッチパネル式の装置との連動が可能である。
また前記電子看板の技術的可能性として、例えば、前記電子看板の本体の内部又は外部に設けたデジタルカメラ又は近接センサー又はその両方を用いて電子看板に接近した人を認識して表示する内容を変えたりすることで、前記駐車場の利用者の行動に影響を与えたり、前記駐車場の利用者の行動を変化させたり、例えば、タッチパネル装置を用いて、タッチパネルに触った人と双方向に対応したり、することで、前記駐車場の利用者の行動に影響を与えたり、前記駐車場の利用者の行動を変化させたり、することが可能である。また前記ディスプレー技術に関しては、一般的に入手できる画像表示手段であれば特に制限なく利用することができる。
前記ブロードバンド技術に関しては、高速な通信回線の普及によって実現される次世代のコンピュータネットワークと、その上で提供される大容量のデータを活用した新たなサービスの総称であり、例えば、光ファイバー、ＣＡＴＶ、ｘＤＳＬなどの有線通信技術や、ＦＷＡ、ＩＭＴ−２０００といった無線通信技術などを用いて実現される、概ね５００ｋｂｐｓ以上の通信回線がブロードバンドである、とされている。現在のインターネットにはない、様々な可能性が眠っているとされ、現在の技術では実現が難しい、映像や音声など大容量のデータを使ったまったく新しいサービスが登場し、既存のサービスも映像や音声の力を得てまったく変わったものになると考えられ、本発明にも応用できる。
前記コンテンツに関しては、一般的には、メディア、デジタルコンテンツ、ソフトウェア、コンピュータプログラム、プログラム、などの総称として使われることが多い。前記メディアに関しては、メディアが記録・伝送し、人間が観賞するひとまとまりの情報、すなわち、映像や画像、音楽、文章、あるいはそれらの組み合わせを意味することが多く、具体的には、ニュース、小説、映画、テレビ番組、歌、ビデオゲーム、マンガ、アニメなどを示す場合が多い。また前記デジタルコンテンツに関しては、前記メディアがデジタルデータ化されたものをデジタルコンテンツと呼ばれている。
課題を解決するための第一の手段で記述した路上案内又は路面案内に関しては、自動車の入場路（自動車を入場ゲート装置まで案内する）であることを示す文字や記号や図又はこれらの組合せ、自動車の誘導路（自動車を駐車区間まで案内する）であることを示す文字や記号や図またはこれらの組合せ、自動車の駐車区間であることを示す文字や記号や図またはこれらの組合せ、自動車の退場路（自動車を前記駐車場の出口まで案内する）であることを示す文字や記号や図又はこれらの組合せ、などを示している。
また、前記充電装置に関しては、無料式または有料式になっており、有料式の場合にはコインや紙幣や本明細書で記載した移動通信端末の画面に表示した画像または記号または図形または文字またはこれらの組合せを読み取る方式の中から選択できる。また前記充電装置は本明細書で記載した管理サーバーを介して遠隔制御できるようになっていても良い。また前記自動販売機に関しては、一般的に入手できるタイプであれば特に制限なく利用できる。また前記自動販売機は本明細書で記載した移動通信端末の画面に表示した画像または記号または図形または文字またはこれらの組合せを読み取る方式で清算できるようになっていてもよい。また前記自動販売機は本明細書で記載した管理サーバーを介して遠隔制御できるようになっていても良い。【００１２】  課題を解決するための第一の手段で記述したＷｅｂサイト誘導手段に関しては、下記技術の中から選択して、単独で用いるか組合わせて利用できる。
例えば、光学読取用コードパターンを読み取って復号する検出手段を有する移動通信端末（例えば、カメラ付き携帯電話、カメラ付き多機能端末、等）を所持する前記駐車場の利用者に対しては、前記駐車場に入場した場合に目的とする場所にインターネット上のＷｅｂサイトに誘導する手段を示し、例えば、前記利用者にカメラ付き携帯電話等を用いて、目的とする場所にＷｅｂサイトのＵＲＬ（Ｕｎｉｆｏｒｍ  Ｒｅｓｏｕｃｅ  Ｌｏｃａｔｏｒ）情報を符号化させ含ませてある光学読取用コードパターンを設けこの光学読取用コードパターンを撮像させることで前記Ｗｅｂサイトに誘導できるようにする方法である。前記光学読取用コードパターンに関しては、バーコード（一次元バーコード、一次元コード）と二次元バーコード（二次元コード）が一般的に知られており、本発明では、前記バーコードを少なくとも一つを単独または組合わせて用いることができ、また前記二次元バーコードとしては、例えばＱＲコード（登録商標）を使用することが可能である。また、例えば、ＩＣチップ（ＲＦＩＤタグ又はＩＣタグ又は無線自動識別チップとも言う）と前記ＩＣチップからの電波を受信して復号する検出手段を有する移動通信端末（例えば、前記ＩＣチップ対応型携帯電話等）を所持する前記駐車場の利用者に対しては、前記駐車場に入場した場合に目的とする場所にインターネット上のＷｅｂサイトに誘導する手段を示し、例えば、前記利用者に前記ＩＣチップ対応型携帯電話等を用いて、目的とする場所にＷｅｂサイトのＵＲＬ情報を符号化させ記憶させてある前記ＩＣチップを設けた場所に前記携帯電話等を接近（非接触）させることで前記Ｗｅｂサイトに誘導できるようにする非接触ＩＣ技術である。また、例えば、赤外線発信回路と赤外線発信回路からの赤外線を受信して復号する検出手段を有する移動通信端末（例えば、赤外線対応型携帯電話等）を所持する前記駐車場の利用者に対しては、前記駐車場に入場した場合に目的とする場所にインターネット上のＷｅｂサイトに誘導する手段を示し、例えば、前記利用者に赤外線対応型携帯電話等を用いて、目的とするＷｅｂサイトのＵＲＬ情報を符号化させ記憶させてある赤外線発信回路を設けた前記商品に接近することで前記Ｗｅｂサイトに誘導できるようにする方法である。【００１３】  上述したＷｅｂサイト誘導手段を前記駐車管理装置又は前記駐車場関連設備又は前記駐車券発券機又は前記駐車料金自動精算機に設ける手段に関しては、光学読取用コードパターンを設ける場合は光学読取用コードパターンを読み取って復号する検出手段を有する前記移動通信端末がＷｅｂサイトのＵＲＬ情報を符号化させ含ませてある光学読取用コードパターンを撮像できるようになっていれば印刷手段でもコーティング手段でも印刷物貼着手段でも画像表示手段でも前記電子看板でも又はこれらの組合せでも構わない。また前記駐車管理装置にＩＣチップ（ＲＦＩＤタグ又はＩＣタグ又は無線自動識別チップとも言う）を設ける場合はＷｅｂサイトのＵＲＬ情報を符号化させ記憶させてある前記ＩＣチップがこのＩＣチップからの当該ＷｅｂサイトＵＲＬ情報を前記移動通信端末が検出できるようになっていれば前記駐車管理装置には埋め込み手段でも貼り付け手段でも装置内蔵手段でも又はこれらの組合せでも構わない。また前記駐車管理装置に赤外線発信回路を設ける場合はＷｅｂサイトのＵＲＬ情報を符号化して設けてある赤外線発信回路からの赤外線を前記移動通信端末が検出できるようになっていれば前記駐車管理装置には埋め込み手段でも貼り付け手段でも装置内蔵手段でも又はこれらの組合せでも構わない。上述したＷｅｂサイト誘導手段を上述した駐車場内の路上案内又は路面案内に設ける手段に関しては、光学読取用コードパターンを読み取って復号する検出手段を有する前記移動通信端末が当該ＷｅｂサイトＵＲＬ情報を符号化させ含ませてある光学読取用コードパターンを設けこの光学読取用コードパターンを撮像できるようになっていれば印刷手段でもコーティング手段でも印刷物貼着手段でも又はこれらの組合せでも構わない。
また、前記駐車管理装置又は前記駐車場関連設備又は前記駐車券発券機又は前記駐車料金自動精算機のディスプレイに光学読取用コードパターンを設ける場合は光学読取用コードパターンを読み取って復号する検出手段を有する前記移動通信端末が当該ＷｅｂサイトＵＲＬ情報を符号化させ含ませてある光学読取用コードパターンを表示させるようになっていれば、回路内蔵手段又はソフトウエア手段又はインターネットを介した遠隔操作手段を単独で用いるか組合わせて用いても構わない。【００１４】  課題を解決するための第一の手段で記述した前記Ｗｅｂサイト誘導手段を検出する手段を有する移動通信端末を有する前記駐車場の利用者に関しては、前記駐車場を利用しようとしている自動車の、運転者、運転手、運転士、運転助手、同乗者、乗客、などの中で前記移動通信端末を有する者という意味を表している。
課題を解決するための第一の手段で記述した顧客応答フィードバック手段に関しては、前記Ｗｅｂサイト誘導手段を介して誘導されるＷｅｂサイト（以下、誘導Ｗｅｂサイトと表記）を管理する管理サーバー内に設けられる場合もあるし、前記誘導Ｗｅｂサイトを管理しないサーバーコンピュータ内に設けられる場合もあるものとする。また前記誘導Ｗｅｂサイトも任意のサーバーコンピュータ内に設けられるものとする。
次に、前記顧客応答フィードバック手段の機能の一つに関しては、ポジティブフィードバックＮ（Ｎは１から始まる自然数）とネガティブフィードバックＭ（Ｍは１から始まる自然数）から構成され、例えばポジティブフィードバックＮは本発明の要旨に則って作成したコンテンツに対してポジティブに反応した前記利用者を分類する手段を備え、例えばネガティブフィードバックＭは本発明の要旨に則って作成したコンテンツに対してネガティブに反応した前記利用者を分類する手段を備える。次に例えば、ポジティブフィードバック１とネガティブフィードバック１に関して説明すると、本明細書で記述したＷｅｂサイト誘導手段の中から選択した少なくとも一つを介して前記駐車場の利用者が前記誘導Ｗｅｂサイトに接続した段階で前記誘導Ｗｅｂサイトを管理または制御する管理サーバー内またはサーバーコンピュータ内に設けられる顧客ファイルに登録されメールアドレスや接続した日時が記録され、この顧客ファイルに登録された前記利用者の移動通信端末に次の画面に進む意思があるかどうかを問うという内容の設問を表示させ、この表示内容に対して同意した利用者をポジティブフィードバック１の利用者と設定し前記顧客ファイルに記録し、同意しなかった利用者をネガティブフィードバック１の利用者であると設定し前記顧客ファイルに記録する。次に例えば、ポジティブフィードバック１の利用者の移動通信端末に、例えば本明細書で記述した前記駐車場利用促進情報のサービスの中から選択した少なくとも一つの提供を受ける意思が有るか無いかを問う内容の設問を表示させ、この表示内容に対して同意した利用者をポジティブフィードバック２の利用者と設定し、同意しなかった利用者をネガティブフィードバック２の利用者であると設定する。次に例えば、ポジティブフィードバック２の利用者が、本明細書で示した自動車関連設問の中から選択した少なくとも一つの設問に答える意思が有るか無いかを問う設問を表示させ、この表示内容に対して同意した利用者をポジティブフィードバック３の利用者と設定し、同意しなかった利用者をネガティブフィードバック３の利用者であると設定する。次に例えば、ポジティブフィードバック３の利用者の移動通信端末に継続的な情報の受信を希望するかどうかを問う設問を表示させ、この表示内容に対して同意した利用者をポジティブフィードバック４の利用者と設定し、同意しなかった利用者をネガティブフィードバック４の利用者であると設定する。【００１５】  また、前記顧客応答フィードバック手段の機能の一つに関して、ネガティブフィードバックＭのＭの数字に応じて前記顧客応答フィードバック手段の利用者に対しての特典や情報やコンテンツを速やかに変化させて提供するように、形成または構成又はプログラムの構築をするものとする。例えば前記ネガティブフィードバック１の利用者に対して、もう一度同じ組織の有料駐車場を利用した場合に前記誘導Ｗｅｂサイトに接続すると特典やサービスが提供されるようにする。また例えば前記ネガティブフィードバック２の利用者に対して、もう一度同じ有料駐車場を利用した場合に前記駐車場利用促進情報のサービスの中から選択した少なくとも一つの提供を受けると特典やサービスが���供されるようにする。また例えば前記ネガティブフィードバック３の利用者に対して、もう一度同じ有料駐車場を利用した場合に本明細書で記述した自動車関連設問の中から選択した少なくとも一つの設問に答えると特典やサービスが提供されるようにする。また例えば前記ネガティブフィードバック４の利用者に対して、例えばもう一度同じ有料駐車場を利用したいかとか、また例えば継続的な情報の提供を受ける意思があるかという設問に対して、同意した場合には次のステップに進むようにして、また同意しない場合には次のステップに進むようにする。【００１６】  前記顧客応答フィードバック手段のフィードバック理論に関しては、元来はサイバネティックスの用語であり、生物の恒常性や多様性を支える仕組みから見出された。システムの振る舞いを説明する為の基本原理として、エレクトロニクスの分野で増幅器の特性の改善、発振・演算回路及び自動制御回路などに広く利用されているのみならず、機械系や生物系、経済などにも広く適用例がある。（フリー百科事典『Ｗｉｋｉｐｅｄｉａ』より引用）前記フィードバック理論に関しては、近年ではビジネス用語や経済用語や心理学用語としての適用例がある。例えばビジネス用語としては、結果情報の伝達に用いられ、行動の反省や結果を導くための計画立案などの情報も含まれ、結果を問題の原因側に返すことも行なわれている。
例えば経済用語としては、収益逓減が負のフィードバックとして、ネットワーク外部性や収益逓増などが正のフィードバックとして用いられている。例えば心理学用語としては、褒める、称賛するなど効果的に作用する働きかけを正のフィードバックとして、けなす、否定するなど反対の働きかけとなるのが負のフィードバックとして用いられている。
本発明では上述したフィードバック理論を参照して、前記誘導Ｗｅｂサイト内に誘導された前記駐車場の利用者の移動通信端末と前記管理サーバーまたは前記駐車場利用促進情報との交信の結果、利用者の前記駐車場のサービスやビジネスモデルに対する反応や心理の変化に対して上述したフィードバック理論を応用することにした。
すなわち、本発明では、ポジティブフィードバックの変化に対して番号を付加しこの番号の変化に応じて前記顧客応答フィードバック手段の利用者に対しての特典や情報やコンテンツを速やかに変化させて提供するように、またネガティブフィードバックの変化に対して番号を付加しこの番号の変化に応じて前記顧客応答フィードバック手段の利用者に対しての特典や情報やコンテンツを速やかに変化させて提供するように、形成または構成またはプログラムまたはこれら組合せの構築をしたのである。
したがって、上述したフィードバック理論を用いて、本明細書で記載した有料駐車場とこの有料駐車場の利用者との関係を変化させる内容であれば本発明の範疇に入るものとする。また、前記有料駐車場と前記利用者との関係を変化させることで、前記有料駐車場の近傍または周辺の商業施設と前記利用者との関係を変化させる内容であれば本発明の範疇に入るものとする。また、前記有料駐車場と前記利用者との関係を変化させることで、前記有料駐車場の内部に設けた広告媒体と前記利用者との関係を変化させる内容であれば本発明の範疇に入るものとする。
また、前記自動車関連設問に関しては、自動車の種別を問う設問、自動車の用途を問う設問、自動車が自家用であるか事業用であるかを問う設問、自動車の車体の形状を問う設問、自動車の車名を問う設問、自動車の原動機の型式を問う設問、自動車の原動機の総排気量を問う設問、自動車の原動機の定格出力を問う設問、自動車の燃料の種類を問う設問、自動車の整備の記録を問う設問、自動車の車検に関して（時期、期限、担当業者、など）の設問、自動車に使用しているタイヤ（メーカー、使用期間、など）に関しての設問、自動車を使用中の不具合に関しての設問、自動車に関しての不満、自動車を購入した業者への不満、自動車用アクセサリーの有無などを問う設問、従来の駐車場への不満、従来の駐車場への提案、従来の有料駐車場への不満、従来の有料駐車場への提案、前記駐車場を利用しようとしている自動車の運転者または同乗者の性別または年代または職業またはこれらの組合せを問う設問、などから選択して用いるものとする。【００１７】  課題を解決するための第一の手段で記述した前記Ｗｅｂサイト誘導手段を検出する手段を有する移動通信端末に関しては、例えば、前記光学読取用コードパターンを読み取って復号する検出手段を備えた携帯電話やＰＤＡや携帯多機能端末、前記ＩＣチップ（ＲＦＩＤタグ又はＩＣタグ又は無線自動識別チップとも言う）からの電波を受信して復号する検出手段を備えた携帯電話やＰＤＡや携帯多機能端末、前記赤外線発信回路からの赤外線を受信して復号する検出手段を備えた携帯電話やＰＤＡや携帯多機能端末などから選択して用いることができる。
課題を解決するための第一の手段で記述した前記駐車場の利用を促進させる情報すなわち前記駐車場利用促進情報に関しては、前記駐車場の利用者が再度利用したくなるように、前記駐車場利用者の心理を変化させるような表現内容、前記駐車場利用者の脳内に刺激を与える表現内容であれば特に制限は設けないが、例えば前記表現内容の一例として、前記駐車場の利用料の割引価格の表示、前記駐車場の利用料の割引率の表示、前記駐車場の利用時における景品またはプレゼントの表示、前記駐車場の利用料が安価になる情報の提供、前記駐車場の利用料が安価になるキャンペーンの告知、前記駐車場の利用料が安価になる懸賞の提供、前記駐車場の利用料が安価になるアンケートの提供、前記駐車場の利用料が安価になるクーポンの提供、前記駐車場の利用時間に関する特典の表示、前記駐車場の利用が所定時間可能になる情報の提供、前記駐車場の利用が所定時間可能になるキャンペーンの告知、前記駐車場の利用が所定時間可能になる懸賞の提供、前記駐車場の利用が所定時間可能になるアンケートの提供、前記駐車場の利用が所定時間可能になるクーポンの提供、前記駐車場に設けた前記充電装置が無料で利用できるサービスの提供、前記駐車場に設けた前記充電装置が所定の割引率で利用できるサービスの提供、前記駐車場に設けた前記自動販売機が無料で利用できるサービスの提供、前記駐車場に設けた前記自動販売機が所定の割引率で利用できるサービスの提供、などであり、これらの中から選択して、単独で用いても、組合わせて用いてもよい。
また前記駐車場利用促進情報に関しては、例えば、前記駐車場に近傍又は周辺の商業施設の利用又は提供するサービス又は商品の利用料の割引価格の表示、前記商業施設の利用又は提供するサービス又は商品の割引率の表示、前記商業施設の利用又は提供するサービス又は商品の利用時における景品またはプレゼントの表示、前記商業施設の利用又は提供するサービス又は商品の利用料が安価になる情報の提供、前記商業施設の利用又は提供するサービス又は商品が安価になるキャンペーンの告知、前記商業施設の利用又は提供するサービス又は商品が安価になる懸賞の提供、前記商業施設の利用又は提供するサービス又は商品が安価になるアンケートの提供、前記商業施設の利用又は提供するサービス又商品が安価になるクーポンの提供、前記商業施設の利用または提供するサービス又は商品を利用することで前記駐車場の利用時間に関する特典の表示、前記商業施設の利用又は提供するサービス又は提供する商品を利用することで前記駐車場の利用が所定時間可能になる情報の提供、前記商業施設の利用又は提供するサービス又は商品を購買することで前記駐車場の利用が所定時間可能になるキャンペーンの告知、前記商業施設の利用又は提供するサービスまたは提供する商品を利用することで前記駐車場の利用が所定時間可能になる懸賞の提供、前記商業施設の利用又は提供するサービス又は商品を購買することで前記駐車場の利用が所定時間可能になるアンケートの提供、前記商業施設の利用又は提供するサービス又は提供する商品を購買することで前記駐車場の利用が所定時間可能になるクーポンの提供、などであり、これらの中から選択して、単独で用いても、組合わせて用いてもよい。
また前記駐車場利用促進情報に関しては、例えば、前記駐車場に広告を提供する業者の利用又は提供するサービス又は商品の割引価格の表示、前記広告提供業者の利用又は提供するサービス又は商品の割引率の表示、前記広告提供業者の利用又は提供するサービス又は商品の購買時における景品又はプレゼントの表示、前記広告提供業者の利用又は提供するサービス又は商品が安価になる情報の提供、前記広告提供業者の利用又は提供するサービス又は商品が安価になるキャンペーンの告知、前記広告提供業者の利用または提供するサービス又は商品が安価になる懸賞の提供、前記広告提供業者の利用又は提供するサービス又は商品が安価になるアンケートの提供、前記広告提供業者の利用または提供するサービス又は商品が安価になるクーポンの提供、前記広告提供業者の利用又は提供するサービス又は商品を購買することで前記駐車場の利用時間に関する特典の表示、前記広告提供業者の利用又は提供するサービス又は商品を購買することで前記駐車場の利用が所定時間可能になる情報の提供、前記広告提供業者の利用又は提供するサービス又は商品を購買することで前記駐車場の利用が所定時間可能になるキャンペーンの告知、前記広告提供業者の利用又は提供するサービス又は商品を購買することで前記駐車場の利用が所定時間可能になる懸賞の提供、前記広告提供業者の利用又は提供するサービス又は商品を購買することで前記駐車場の利用が所定時間可能になるアンケートの提供、前記広告提供業者の利用又は提供するサービス又は商品を購買することで前記駐車場の利用が所定時間可能になるクーポンの提供、などであり、これらの中から選択して、単独で用いても、組合わせて用いてもよい。【００１８】  さらに前記駐車場利用促進情報に関しては、例えば、前記駐車場の会員募集の案内であり、前記会員の特典が、前記駐車場の利用状況の提供、前記駐車場に関するメールマガジンの提供、前記駐車場を利用するためのクーポンの提供、前記駐車場を利用するための割引券の提供、前記駐車場を所定時間利用できる利用券の提供、などであり、これらの中から選択して、単独で用いても、組合わせて用いてもよい。また前記駐車場利用促進情報に関しては、例えば、前記駐車場に近傍又は周辺の商業施設の会員募集の案内であり、前記会員の特典が、前記商業施設の利用又は提供するサービス又は提供する商品の利用状況の提供、前記商業施設の利用又は提供するサービス又は提供する商品に関するメールマガジンの提供、前記商業施設の利用又は提供するサービス又は提供する商品を利用するためのクーポンの提供、前記商業施設の利用又は提供するサービス又は提供する商品を利用するための割引券の提供、前記商業施設の利用又は提供するサービス又は提供する商品を所定時間利用できる利用券の提供、などであり、これらの中から選択して、単独で用いても、組合わせて用いてもよい。また前記駐車場利用促進情報に関しては、例えば、前記駐車場に広告を提供する業者の会員募集の案内であり、前記会員の特典が、前記広告提供業者の利用又は提供するサービス又は提供する商品の利用状況の提供、前記広告提供業者の利用又は提供するサービス又は提供する商品に関するメールマガジンの提供、前記���告提供業者の利用又は提供するサービス又は提供する商品を利用するためのクーポンの提供、前記広告提供業者の利用又は提供するサービス又は提供する商品を利用するための割引券の提供、前記広告提供業者の利用又は提供するサービス又は提供する商品を所定時間利用できる利用券の提供、などであり、これらの中から選択して、単独で用いても、組合わせて用いてもよい。また前記駐車場利用促進情報を前記利用者の移動通信端末に表示する場合には、文字、記号、図、バーコード、ＱＲコード（登録商標）、などを単独または組合わせて用いることができる。【００１９】  課題を解決するための第一の手段で記述した前記誘導Ｗｅｂサイトから前記移動通信端末に前記駐車場の利用を促進させる情報を送信することに関しては、まず前記情報の提供者に関しては、当該駐車場の所有者、当該駐車場の土地の所有者、当該駐車場を運営・管理する業者、当該駐車場の運営・管理を代行する業者、当該駐車場が前記立体駐車場である場合は建物の所有者、当該駐車場が前記立体駐車場である場合は建物を運営・管理する業者、当該駐車場が前記立体駐車場である場合の建物を運営・管理を代行する業者、当該駐車場が前記立体駐車場である場合の土地の所有者、当該駐車場が前記立体駐車場である場合の前記立体駐車場を運営・管理する業者、当該駐車場が前記立体駐車場である場合の前記立体駐車場の運営・管理を代行する業者、前記誘導Ｗｅｂサイトの所有者、前記誘導Ｗｅｂサイトを運営・管理する業者、前記誘導Ｗｅｂサイトを運営・管理を代行する業者、前記駐車場に近傍の商業施設、前記駐車場に広告を提供する業者、などが単独で提供するか複数で本明細書で記載した前記駐車場の利用を促進させる情報を提供できるものとする。
また、前記駐車管理装置の中の少なくとも一つがインターネットに接続されかつ画像表示手段を備えている場合には前記誘導Ｗｅｂサイトから前記駐車管理装置に前記駐車場の利用を促進させる情報を送信することも可能であり、前記駐車券発券機がインターネットに接続されかつ画像表示手段を備えている場合には前記誘導Ｗｅｂサイトから前記駐車券発券機に前記駐車場の利用を促進させる情報を送信することも可能であり、前記駐車料金自動精算機がインターネットに接続されかつ画像表示手段を備えている場合には前記誘導Ｗｅｂサイトから前記駐車料金自動精算機に前記駐車場の利用を促進させる情報を送信することも可能であり、また前記誘導Ｗｅｂサイトから前記電子看板にも前記駐車場の利用を促進させる情報を送信することも可能である。
また前記誘導Ｗｅｂサイトから、前記移動通信端末、前記駐車管理装置、前記駐車券発券機、前記駐車料金自動精算機、前記電子看板、などに単独または任意に組合わせて前記駐車場の利用を促進させる情報を送信することで、前記誘導Ｗｅｂサイトの所有者や運営・管理者や運営・管理の代行者や前記情報の提供者などは、例えば本明細書で記載したポジティブフィードバックＮの利用者の夫々のレベルに応じて前記駐車場の利用を促進させる情報の中から選択した前記駐車場利用促進情報を提供するものであり、また例えば本明細書で記載したネガティブフィードバックＭの利用者の夫々のレベルに応じて前記駐車場の利用を促進させる情報の中から選択した前記駐車場利用促進情報を提供するものである。これによって前記駐車場に対する夫々の反応レベルに対応することで、前記利用者が今後、前記駐車場の再利用または前記誘導Ｗｅｂサイトを再利用して頂くような反応レベルに変化させることを目的している。【００２０】  課題を解決するための第二の手段（請求項２）は、自動車を時間単位または日数単位で有料で駐車させる有料駐車場に設けられるパーキングメータ又は駐車券発券機又は駐車料金自動精算機などから出力される印刷物、又は前記駐車場の運営管理者が発行する印刷物、などから選択される少なくとも一つにＷｅｂサイト誘導手段を設け、また前記Ｗｅｂサイト誘導手段を介して誘導されるＷｅｂサイトには顧客応答フィードバック手段を設け、前記Ｗｅｂサイト誘導手段を検出する移動通信端末を有する前記駐車場の利用者が前記移動通信端末を介して前記顧客応答フィードバック手段を利用したときに、前記利用者の反応に応じて選択された前記駐車場の利用を促進させる情報を前記移動通信端末に送信することを特徴とする駐車場の利用促進手段を提供することである。【００２１】  課題を解決するための第二の手段で記述した自動車に関しては、課題を解決するための第一の手段で記述した自動車に関しての記述を引用するものとする。
課題を解決するための第二の手段で記述した有料駐車場に関しては、課題を解決するための第一の手段で記述した有料駐車場に関しての記述を引用するものとする。
課題を解決するための第二の手段で記述したＷｅｂサイト誘導手段に関しては、光学読取用コードパターンを読み取って復号する検出手段を有する移動通信端末（例えば、カメラ付き携帯電話、カメラ付き多機能端末、等）を所持する前記駐車場の利用者に対しては、前記駐車場に入場した場合に目的とする場所にインターネット上のＷｅｂサイトに誘導する手段を示し、例えば、前記利用者にカメラ付き携帯電話等を用いて、目的とする場所にＷｅｂサイトのＵＲＬ（Ｕｎｉｆｏｒｍ  Ｒｅｓｏｕｃｅ  Ｌｏｃａｔｏｒ）情報を符号化させ含ませてある光学読取用コードパターンを設けこの光学読取用コードパターンを撮像させることで前記Ｗｅｂサイトに誘導できるようにする方法であり、前記光学読取用コードパターンに関しては、バーコード（一次元バーコード、一次元コード）と二次元バーコード（二次元コード）が一般的に知られており、また前記二次元バーコードとしては、例えばＱＲコード（登録商標）を使用することが可能であり、本発明では、前記バーコードを少なくとも一つを単独または組合わせて用いることができるものとする。
課題を解決するための第二の手段で記述した前記駐車場に設けられるパーキングメータから出力される印刷物に関しては、印刷物の種類、印刷手段、印刷される材質に制限されることなく全て本発明で利用可能である。また前記パーキングメータ印刷物に前記Ｗｅｂサイト誘導手段を設けることに関しては、前記パーキングメータの印刷手段が前記光学読取用コードパターンを印刷できるようになっていてもよいし、前記パーキングメータの印刷手段に着脱可能に装着される印刷用紙または印刷台紙に予め前記光学読取用コードパターンを印刷手段を介して印刷しておいてもよいし、前記パーキングメータの印刷手段に着脱可能に装着される印刷用紙または印刷台紙に予め前記光学読取用コードパターンを設けた印章を用いて押印しておいてもよいし、前記パーキングメータの印刷手段に着脱可能に装着される印刷用紙または印刷台紙に予め前記光学読取用コードパターンを設けた印刷物を貼着手段を介して貼着しておいてもよいし、またはこれらの組合せでも構わない。
課題を解決するための第二の手段で記述した前記駐車場に設けられる駐車券発券機から出力される印刷物に関しては、印刷物の種類、印刷手段、印刷される材質に制限されることなく全て本発明で利用可能である。また前記駐車券発券機印刷物に前記Ｗｅｂサイト誘導手段を設けることに関しては、前記駐車券発券機の印刷手段が前記光学読取用コードパターンを印刷できるようになっていてもよいし、前記駐車券発券機の印刷手段に着脱可能に装着される印刷用紙または印刷台紙に予め前記光学読取用コードパターンを印刷手段を介して印刷しておいてもよいし、前記駐車券発券機の印刷手段に着脱可能に装着される印刷用紙または印刷台紙に予め前記光学読取用コードパターンを設けた印章を用いて押印しておいてもよいし、前記駐車券発券機の印刷手段に着脱可能に装着される印刷用紙または印刷台紙に予め前記光学読取用コードパターンを設けた印刷物を貼着手段を介して貼着しておいてもよいし、またはこれらの組合せでも構わない。
課題を解決するための第二の手段で記述した前記駐車場に設けられる駐車料金自動精算機から出力される印刷物に関しては、印刷物の種類、印刷手段、印刷される材質に制限されることなく全て本発明で利用可能である。また前記駐車料金自動精算機印刷物に前記Ｗｅｂサイト誘導手段を設けることに関しては、前記駐車料金自動精算機の印刷手段が前記光学読取用コードパターンを印刷できるようになっていてもよいし、前記駐車料金自動精算機の印刷手段に着脱可能に装着される印刷用紙又は印刷台紙に予め前記光学読取用コードパターンを印刷手段を介して印刷しておいてもよいし、前記駐車料金自動精算機の印刷手段に着脱可能に装着される印刷用紙又は印刷台紙に予め前記光学読取用コードパターンを設けた印章を用いて押印しておいてもよいし、前記駐車料金自動精算機の印刷手段に着脱可能に装着される印刷用紙又は印刷台紙に予め前記光学読取用コードパターンを設けた印刷物を貼着手段を介して貼着しておいてもよいし、又はこれらの組合せでも構わない。
課題を解決するための第二の手段で記述した前記駐車場の運営・管理者が発行する印刷物に関しては、印刷物の種類、印刷手段、印刷される材質に制限されることなく全て本発明で利用可能である。また前記駐車場管理者発行印刷物に前記Ｗｅｂサイト誘導手段を設けることに関しては、前記駐車場管理者発行印刷物が前記光学読取用コードパターンを印刷できるような装置を用いてもよいし、前記駐車場管理者発行印刷物の納品時に予め前記光学読取用コードパターンが印刷されてあってもよいし、前記駐車場管理者発行印刷物に予め前記光学読取用コードパターンを設けた印章を用いて押印しておいてもよいし、前記駐車場管理者発行印刷物に予め前記光学読取用コードパターンを設けた印刷物を貼着手段を介して貼着しておいてもよいし、又はこれらの組合せでも構わない。【００２２】  課題を解決するための第二の手段で記述した前記Ｗｅｂサイト誘導手段を介して誘導されるＷｅｂサイトには顧客応答フィードバック手段を設けることに関しては、課題を解決するための第一の手段で記述した前記顧客応答フィードバック手段を設けることに関しての記述を引用するものとする。課題を解決するための第二の手段で記述した前記Ｗｅｂサイト誘導手段を検出する手段を有する移動通信端末を有する前記駐車場の利用者に関しては、課題を解決するための第一の手段で記述した前記Ｗｅｂサイト誘導手段を検出する手段を有する移動通信端末を有する前記駐車場の利用者に関しての記述を引用するものとする。課題を解決するための第二の手段で記述した前記顧客応答フィードバック手段に関しては、課題を解決するための第一の手段で記述した顧客応答フィードバック手段に関しての記述を引用するものとする。課題を解決するための第二の手段で記述した移動通信端末に関しては、課題を解決するための第一の手段で記述した移動通信端末に関しての記述を引用するものとする。課題を解決するための第二の手段で記述した前記駐車場の利用を促進させる情報を送信することに関しては、課題を解決するための第一の手段で記述した前記駐車場の利用を促進させる情報に関しての記述を引用するものとする。【００２３】  課題を解決するための第三の手段（請求項３）は、前記駐車管理装置又は前記駐車券発券機又は前記駐車料金自動精算機又は前記駐車場関連設備、などから選択される少なくとも一つにＷｅｂサイト誘導手段の発行手段を設けることを特徴とする、課題を解決するための第一の手段（請求項１）又は課題を解決するための第二の手段（請求項２）に記載の駐車場の利用促進手段を提供することである。【００２４】  課題を解決するための第三の手段で記述したＷｅｂサイト誘導手段の発行手段に関しては、第一例としては、筺体内に課題を解決するための第一の手段で記述した光学読取用コードパターン又は課題を解決するための第二の手段で記述した光学読取用コードパターンを着脱可能に装着される印刷用紙又は印刷台紙に印刷手段を介して印刷した後に出力する方法を備えた装置であってもよい。また前記印刷装置に着脱可能に装着される印刷用紙又は印刷台紙に予め前記光学読取用コードパターンを印刷手段を介して印刷しておいてもよい。また前記印刷装置に着脱可能に装着される印刷用紙又は印刷台紙に予め前記光学読取用コードパターンを設けた印章を用いて押印しておいてもよい。また前記印刷装置に着脱可能に装着される印刷用紙または印刷台紙に予め前記光学読取用コードパターンを設けた印刷物を貼着手段を介して貼着しておいてもよい。また前記第一例装置に関しては、インターネット回線に接続され本明細書で記載した管理サーバーを介して遠隔制御しても良い。
また課題を解決するための第三の手段で記述したＷｅｂサイト誘導手段の発行手段に関しては、第二例としては、筺体内に課題を解決するための第一の手段で記述したＩＣチップ又は課題を解決するための第二の手段で記述したＩＣチップを貼着手段を介して貼着した、印刷用紙または印刷台紙を着脱可能に装着し、前記駐車場の利用者が必要とするときに発行できるように形成した手段を備えた装置でもよい。また前記第第二例装置に関しては、前記管理サーバーを介して遠隔制御しても良い。
また課題を解決するための第三の手段で記述したＷｅｂサイト誘導手段の発行手段に関しては、第三例としては、筺体内に課題を解決するための第一の手段で記述したＩＣチップ又は課題を解決するための第二の手段で記述したＩＣチップを、内蔵したカードまたは積層したカード又は封入したカードを着脱可能に装着し、前記駐車場の利用者が必要とするときに発行できるように形成した手段を備えた装置でもよい。また前記第三例装置に関しては前記管理サーバーを介して遠隔制御しても良い。【００２５】  課題を解決するための第三の手段で記述した前記駐車管理装置に前記Ｗｅｂサイト誘導手段発行手段の第一例装置または第二例装置または第三例装置を設けることに関しては、内蔵手段でも、外付け手段でも、内蔵着脱可能手段でも、外付け着脱可能手段でも、構わない。
課題を解決するための第三の手段で記述した前記駐車券発券機に前記Ｗｅｂサイト誘導手段発行手段の第一例装置又は第二例装置又は第三例装置を設けることに関しては、内蔵手段でも、外付け手段でも、内蔵着脱可能手段でも、外付け着脱可能手段でも、構わない。
課題を解決するための第三の手段で記述した前記駐車料金自動精算機に前記Ｗｅｂサイト誘導手段発行手段の第一例装置又は第二例装置又は第三例装置を設けることに関しては、内蔵手段でも、外付け手段でも、内蔵着脱可能手段でも、外付け着脱可能手段でも、構わない。
課題を解決するための第三の手段で記述した前記駐車場関連設備に前記Ｗｅｂサイト誘導手段発行手段の第一例装置又は第二例装置又は第三例装置を設けることに関しては、内蔵手段でも、外付け手段でも、内蔵着脱可能手段でも、外付け着脱可能手段でも、構わない。
【発明の効果】
【００２６】  本発明による駐車場の利用促進手段を採用する有料駐車場の設置を業とする駐車場設置業者は、利用者の確保又は利用者の増大又は利用者のリピーター化を図れる有料駐車場の企画や提案ができるので、同業他社から差別化することができ、有利に有料駐車場の設置を営業することが可能になる。【００２７】  本発明による駐車場の利用促進手段を実施した、駐車場の所有者または駐車場の土地の所有者又は駐車場を運営・管理する業者又は駐車場の運営・管理を代行する業者は、本発明により利用者が増大したりリピーター化が図れるので、駐車場からの売上げや利益を増大させることができる。また、前記駐車場の周辺に商業施設があれば連携して集客ビジネスを展開できるのでより一層の売上げや利益を増大させることが可能になる。
また、本明細書で記述した駐車場可能地の所有者が本発明による駐車場を設置又は建設することで利用者が短期間で増大したりリピーター化が図れる可能性のある駐車場を所有することができ、前記駐車場可能地からの売上げや利益を得ることが可能になる。また、前記駐車場可能地の周辺に商業施設があれば連携して集客ビジネスを展開できるのでより一層の売上げや利益を増大させることが可能になる。【００２８】  また、他の立体駐車場との競争で売上げや利益が低迷している立体駐車場の所有者又は立体駐車場の建物の所有者又は立体駐車場の土地の所有者又は立体駐車場を運営・管理する業者又は立体駐車場の運営・管理を代行する業者は、本発明による駐車場の利用促進手段を実施することで、同業他社から差別化することができる立体駐車場に再構築することができ、その結果利用者の増大または利用者のリピーター化を図れる有料駐車場にすることが可能になる。また、前記立体駐車場の周辺に商業施設があれば連携して集客ビジネスを展開できるのでより一層の売上げや利益を増大させることが可能になる。【００２９】  本発明による駐車場の利用促進手段を実施する業者が広告代理店であれば、以下の効果が期待できる。
例えば前記広告代理店は一般的に存在する有料駐車場であればどこでも新たな宣伝・広告媒体を得ることが可能になり、そのメリットは比較的大きく、例えば、前記広告代理店は前記駐車場の内部にある関連設備や駐車管理装置や駐車料金自動精算機や前記駐車場に係る設備又は前記駐車場内の路上又は路面又は看板類に前記広告代理店が管理するＷｅｂサイトへのＷｅｂサイト誘導手段を設けること、又は前記広告代理店が本発明を実行するためのＷｅｂサイトを設けることで、従来では広告媒体としては限られた面積だった場所も広告媒体になることは広告主にとっても魅力的なマーケットになるので広告主を増やすことが可能になるので、営業的または経営的なメリットは大きい。また、前記有料駐車場の周辺に商業施設があれば連携して集客ビジネスを展開できるのでより一層の広告主を増大させることが可能になる。【００３０】  本発明による駐車場の利用促進手段の実施を検討する業者が広告代理店ではない場合では、以下の効果が期待できる。
例えば、ある不動産業者が、本明細書で記述した駐車場可能地の情報を基にして、本発明による駐車場の利用促進手段を用いて未利用土地の活用方法の営業活動を行なった場合には、この不動産業者は有料駐車場としての受注活動に有利であり、さらにこの不動産業者は、この駐車場に広告を提供する業者を募集する営業活動や、この駐車場に近傍の商業施設への不動産開発の営業活動、また前記誘導Ｗｅｂサイトを運営・管理する業者として、また前記誘導Ｗｅｂサイトを運営・管理を代行する業者として、また広告代理店としての機能を果たすことが可能になる。また、前記駐車場可能地の周辺に商業施設があれば連携して集客ビジネスを展開できることになるのでより一層の広告主を増大させることが可能になる。【００３１】  本発明による駐車場の利用促進手段を採用することで前記誘導Ｗｅｂサイトのアクセス数や注目度を向上させることができ、前記誘導Ｗｅｂサイトを所有する業者であればどんな業種であれ、前記誘導Ｗｅｂサイトを商品として新たな受注またはビジネスを増大させることが可能になる。また、前記誘導Ｗｅｂサイトを運営・管理する業者であれば、前記誘導Ｗｅｂサイトに対する広告掲載又は新規のスポンサーを増大させることが可能になる。また前記誘導Ｗｅｂサイトを運営・管理を代行する業者であれば、他のＷｅｂサイトを運営・管理を代行する依頼が増大し業容を拡大させることが可能になる。【００３２】  また、不動産業とは関係なくかつ業績が低迷している業者が本発明による駐車場の利用促進手段を採用することで、有料駐車場の拡販ビジネスに参入することができ、しかも前記業者がスポンサー探しや営業活動が他の不動産業と競争になっても比較的優位に進めることが可能になるので、前記業者が容易に異業種に参入できるメリットは多大であり、さらに前記業者がスポンサー探しや営業活動が軌道にのると、さらに広告代理店事業にも参加することが可能になるので、全体の業容拡大も容易になる。
【発明を実施するための最良の形態】
【００３４】  以下、本発明の実施の形態について、図１〜図７に基づいて説明する。
図１は本発明の概略を説明するブロック図である。図２は本発明の実施の形態例を示すフローチャートである。図３は本発明の実施の形態例を示すフローチャートである。図４は本発明のネガティブフィードバックの機能を説明するフローチャートである。図５は本発明のネガティブフィードバックの機能を説明するフローチャートである。図６は本発明のネガティブフィードバックの機能を説明するフローチャートである。図７は本発明のネガティブフィードバックの機能を説明するフローチャートである。
【実施例１】
【００３５】  図１を用いた実施例を説明する。Ｐｎ（ｎは１から始まる自然数）は自動車を時間単位または日数単位で有料で駐車させる有料駐車場であり、有料駐車場タイプＮ（Ｎは１から始まる自然数）に対応するが、例えばＰ１は本明細書で記載した有料駐車場タイプ１であり、例えばＰ２は本明細書で記載した有料駐車場タイプ２であり、例えばＰ３は本明細書で記載した有料駐車場タイプ３であり、例えばＰ４は本明細書で記載した有料駐車場タイプ４であり、例えばＰ５は本明細書で記載した有料駐車場タイプ５であるが、この実施例では有料駐車場Ｐ２を選択する。有料駐車場Ｐ２には、Ｗｅｂサイト誘導手段が印刷手段とラベル貼着手段を介して作成され光学読取用コードパターンで二次元バーコード（例えば、ＱＲコード（登録商標）など）であるＱ１が設けられた有料駐車場Ｐ２の存在を案内する看板である案内看板Ｂ１、Ｗｅｂサイト誘導手段が印刷手段とラベル貼着手段を介して作成され光学読取用コードパターンで二次元バーコード（例えば、ＱＲコード（登録商標）など）であるＱ２が設けられた有料駐車場Ｐ２の内部に設けられた広告用の看板である広告用看板Ｂ２、Ｗｅｂサイト誘導手段が有料駐車場Ｐ２に設けられる駐車料金の自動精算機から同時に光学読取用コードパターンで二次元バーコード（例えば、ＱＲコード（登録商標）など）であるＱ３が印刷され出力される印刷物Ｒ１が利用される。Ｔ１は二次元バーコードを読み取って復号する検出手段を有する移動通信端末であり、Ｔ２は二次元バーコードを読み取って復号する検出手段を有する移動通信端末であり、Ｔ３は二次元バーコードを読み取って復号する検出手段を有する移動通信端末である。Ｃ１は移動通信端末Ｔ１を所有する２０代女性で学生で軽自動車に乗っていて有料駐車場Ｐ２の利用を選択した利用者であり、Ｃ２は移動通信端末Ｔ２を所有する４０代女性で主婦で最近購入したばかりの電気自動車に乗っていて有料駐車場Ｐ２の利用を選択した利用者であり、Ｃ３は移動通信端末Ｔ３を所有する５０代男性の自営業者でワゴンタイプの自動車に乗っていて有料駐車場Ｐ２の利用を選択した利用者である。ＩＮはインターネット網であり、移動通信端末Ｔ１、移動通信端末Ｔ２、移動通信端末Ｔ３、などと接続されている。ＣＳ１は、案内看板Ｂ１、広告用看板Ｂ２、印刷物Ｒ１、などを遠隔で制御または管理するサーバーコンピュータの一つである管理サーバーであり、移動通信端末Ｔ１、移動通信端末Ｔ２、移動通信端末Ｔ３、などが二次元バーコードＱ１又は二次元バーコードＱ２又は二次元バーコードＱ３を利用すると、インターネット網ＩＮを介して管理サーバーＣＳ１に接続されるようになっている。１０は、二次元バーコードＱ１又は二次元バーコードＱ２又は二次元バーコードＱ３を介して前記駐車場利用促進情報を移動通信端末Ｔ１や移動通信端末Ｔ２や移動通信端末Ｔ３などに表示させたりする誘導Ｗｅｂサイトであり、管理サーバーＣＳ１により管理され制御され、誘導Ｗｅｂサイト１１〜１９は誘導Ｗｅｂサイト１０で表示されるコンテンツ（本明細書で記載した事項、前記駐車場利用促進情報、前記自動車関連設問）の中から選択された文章や記号や図やこれらの組合せである。２０は、本発���に従って作成された誘導Ｗｅｂサイトを制御し管理し送信したりするＷｅｂサイト管理手段であり、管理サーバーＣＳ１に格納され管理され、Ｗｅｂサイト管理手段２１〜２９は本発明を実行するための誘導Ｗｅｂサイトが他の少なくとも一つ以上のサーバーコンピュータに格納されている場合に管理・制御する手段であり、例えば誘導Ｗｅｂサイト１０は管理サーバーＣＳ１に格納されているのでＷｅｂサイト管理手段２１で管理され制御される。３０は、本明細書で示した駐車場利用促進情報が記録されているデータの制御部であり、管理サーバーＣＳ１により管理され制御され、駐車場利用促進情報３１〜３９はデータ制御部３０によって記録されている駐車場利用促進情報データの中から単独又は組合わせて選択したものである。４０は、本明細書で示した自動車関連設問が記録されているデータの制御部であり、管理サーバーＣＳ１により管理され制御され、自動車関連設問４１〜４９はデータ部制御４０によって記録されている自動車関連設問データの中から単独または組合わせて選択したものである。５０は、顧客応答フィードバック手段であり、利用者Ｃ１や利用者Ｃ２や利用者Ｃ３を、顧客登録したり、利用状況を記録したり、ポジティブフィードバックＮ又はネガティブフィードバックＭに分類したりする手段であり、管理サーバーＣＳ１により管理され制御される。５１は利用者Ｃ１や利用者Ｃ２や利用者Ｃ３の個人情報を登録したり、顧客応答フィードバック手段５０の利用状況を記録・更新したり、顧客応答フィードバック手段５０の利用状況から利用者レベルを記録・更新したり、ポイント付与の記録・更新したりする顧客ファイルであり、顧客応答フィードバック手段５０により制御される。５２は顧客ファイル５１に登録された移動通信端末Ｔ１や移動通信端末Ｔ２や移動通信端末Ｔ３に対して次画面に進む意思があるかどうかを問う設問を表示させ、次画面に進む意思があるかどうかでポジティブフィードバック１（ＰＦ１）又はネガティブフィードバック１（ＮＦ１）に分類するプログラムが格納され顧客応答フィードバック手段５０により制御されるＰＦ１対策部である。５３は顧客ファイル５１の記録が更新された移動通信端末Ｔ１や移動通信端末Ｔ２や移動通信端末Ｔ３に対してデータ制御部３０を利用して駐車場利用促進情報３１〜３９から選択された情報を表示させ、この情報を利用するかどうかでポジティブフィードバック２（ＰＦ２）又はネガティブフィードバック２（ＮＦ２）に分類するプログラムが格納され顧客応答フィードバック手段５０により制御されるＰＦ２対策部である。５４は顧客ファイル５１の記録が更新された移動通信端末Ｔ１や移動通信端末Ｔ２や移動通信端末Ｔ３に対してデータ制御部４０を利用して自動車関連設問４１〜４９から選択された情報を表示させ、この設問に答えるかどうかでポジティブフィードバック３（ＰＦ３）又はネガティブフィードバック３（ＮＦ３）に分類するプログラムが格納され顧客応答フィードバック手段５０により制御されるＰＦ３対策部である。５５は顧客ファイル５１の記録が更新された移動通信端末Ｔ１や移動通信端末Ｔ２や移動通信端末Ｔ３に対してデータ制御部３０を利用して駐車場利用促進情報３１〜３９���ら選択された情報又はデータ制御部４０を利用して自動車関連設問４１〜４９から選択された情報又はこれらを組合わせた情報を所定のタイミングのもとで継続的に送信してもよいかどうかを判断させる設問を表示させ、この設問に答えるかどうかでポジティブフィードバック４（ＰＦ４）又はネガティブフィードバック４（ＮＦ４）に分類するプログラムを格納し顧客応答フィードバック手段５０により制御されるＰＦ４対策部である。５６はネガティブフィードバック１（ＮＦ１）に設定された利用者の移動通信端末に対して、もう一度同じ有料駐車場または同じ組織の有料駐車場を利用すると特典やメリットがあるという内容を送信し、所定の期間を経過した後に再度前記の特典やメリットの内容を変化又は更新させて前記移動通信端末に送信するプログラムを格納し顧客応答フィードバック手段５０により制御されるＮＦ１対策部である。５７はネガティブフィードバック２（ＮＦ２）に設定された利用者の移動通信端末に対して、所定の期間を経過した後に、データを更新した駐車場利用促進情報３１〜３９の中から選択した少なくとも一つを送信し、所定の期間を経過した後に駐車場利用促進情報３１〜３９の内容をさらに更新させて前記移動通信端末に送信するプログラムを格納し顧客応答フィードバック手段５０により制御されるＮＦ２対策部である。５８はネガティブフィードバック３（ＮＦ３）に設定された利用者の移動通信端末に対して、所定の期間を経過した後に、データを更新した自動車関連設問４１〜４９の中から選択した少なくとも一つを送信し、所定の期間を経過した後に自動車関連設問４１〜４９の内容をさらに更新させて前記移動通信端末に送信するプログラムを格納し顧客応答フィードバック手段５０により制御されるＮＦ３対策部である。５９はネガティブフィードバック４（ＮＦ４）に設定された利用者の移動通信端末に対して、所定の期間を経過した後に、現在までのポイント数を通知し所定のポイントに達すると特典が用意されているという内容を送信するプログラムを格納し顧客応答フィードバック手段５０により制御されるＮＦ４対策部である。
【実施例２】
【００３６】  図１と図２を用いた実施例を説明する。１００は利用者Ｃ１又は利用者Ｃ２又は利用者Ｃ３が有料駐車場Ｐ２を利用する事で本発明によるサービスの開始を説明するステップを示し、１１０はステップ１００の利用者の移動通信端末Ｔ１又は移動通信端末Ｔ２又は移動通信端末Ｔ３で有料駐車場Ｐ２又は案内看板Ｂ１又は広告用看板Ｂ２を介して誘導Ｗｅｂサイト１０に接続する場合のステップを示し、１２０はステップ１１０の利用者の名前又は住所又はメールアドレスや誘導Ｗｅｂサイト１０の利用状況を顧客ファイル５１に登録したり所定のポイントを付与したりするステップを示し、１３０はステップ１２０により顧客ファイル５１に登録された移動通信端末に次画面に進む意思があるかどうかを問う設問を表示させるステップを示し、１４０はステップ１３０に対して利用者Ｃ１又は利用者Ｃ２又は利用者Ｃ３の意思を確認させるステップを示し、１５０はステップ１４０に対して「次画面に進む意思がある」利用者をポジティブフィードバック１（ＰＦ１）に設定するステップを示し、１６０はステップ１４０に対して「次画面に進む意思がない」利用者をネガティブフィードバック１（ＮＦ１）に設定するステップを示し、１７０はステップ１５０の利用者を顧客ファイル５１に記録したり所定のポイントを付与したりするステップを示し、１８０はステップ１６０の利用者を記録したりするステップを示し、ステップ１８０を実行したら図４に示したプログラムＢ１に進む。２００はステップ１７０による利用者の移動通信端末に駐車場利用促進情報３１〜３９を表示させるステップを示し、２１０はステップ２００の表示情報を利用者Ｃ１又は利用者Ｃ２又は利用者Ｃ３が利用するか否かを確認するステップを示し、２２０はステップ２１０に対して「利用する」利用者をポジティブフィードバック２（ＰＦ２）に設定するステップを示し、２３０はステップ２１０に対して「利用しない」利用者をネガティブフィードバック２（ＮＦ２）に設定するステップを示し、２４０はステップ２２０の利用者を顧客ファイル５１に記録したり所定のポイントを付与したりするステップを示し、２５０はステップ２３０の利用者を記録したりするステップを示し、ステップ２５０を実行したら図５に示したプログラムＢ２に進む。３００はステップ２４０による利用者の移動通信端末に自動車関連設問４１〜４９を表示させるステップを示し、３１０はステップ３００の表示情報を利用者Ｃ１又は利用者Ｃ２又は利用者Ｃ３が設問に答えるか否かを確認するステップを示し、３２０はステップ３１０に対して「答える」利用者をポジティブフィードバック３（ＰＦ３）に設定するステップを示し、３３０はステップ３１０に対して「答えない」利用者をネガティブフィードバック３（ＮＦ３）に設定するステップを示し、３４０はステップ３２０の利用者を顧客ファイル５１に記録したり所定のポイントを付与したりするステップを示し、ステップ３４０を実行したら図３に示したプログラムＡ１に進み、３５０はステップ３３０の利用者を記録したりするステップを示し、ステップ３５０を実行したら図６に示したプログラムＢ３に進む。
【実施例３】
【００３７】  図１〜図３を用いた実施例を説明する。４００はステップ３４０による利用者の移動通信端末Ｔ１又はＴ２又はＴ３に継続的な情報の受信を希望するかどうかを問う設問を表示させるステップを示し、４１０はステップ４００の表示情報に対して利用者Ｃ１又は利用者Ｃ２又は利用者Ｃ３が同意するか否かを確認するステップを示し、４２０はステップ４１０に対して「同意する」利用者をポジティブフィードバック４（ＰＦ４）に設定するステップを示し、４３０はステップ４１０に対して「同意しない」利用者をネガティブフィードバック４（ＮＦ４）に設定するステップを示し、４４０はステップ４２０の利用者を顧客ファイル５１に記録したり所定のポイントを付与したりするステップを示し、４５０はステップ４３０の利用者を記録したりするステップを示し、ステップ４５０を実行したら図７に示したプログラムＢ４に進み、４６０はステップ４４０の利用者の移動通信端末Ｔ１又はＴ２又はＴ３に対して所定のタイミングで継続的に駐車場利用促進情報データ３１〜３９又は自動車関連設問データ４１〜４９又はこれらを任意に組合わせたデータ又はこれらの更新データを送信する。
【実施例４】
【００３８】  図１と図２と図４よりプログラムＢ１の機能を説明する。５００はステップ１８０による利用者の移動通信端末Ｔ１又はＴ２又はＴ３に対してＮＦ１対策部５６を実行するステップを示し、５１０はステップ５００の表示情報に対して利用者Ｃ１又は利用者Ｃ２又は利用者Ｃ３が利用するか否かを確認するステップを示し、５２０はステップ５１０に対して「利用する」反応を示した利用者を顧客ファイル５１に記録したり所定のポイントを付与したりするステップを示し、５３０はステップ５１０に対して「利用しない」反応を示した利用者を顧客ファイル５１に記録するステップを示し、５３１はステップ５３０を経た利用者の利用回数を記録するステップ（図示せず）でありステップ５３１の実施例としてＸ１と表記し、５３２はステップ５３１を介してプログラムＢ１の再利用回数を制限するステップ（図示せず）でありこの実施例ではＹ１と表記しＹ１は任意数であるが一例としてＹ１＝５とし、５３３はＸ１とＹ１を比較するステップでありこの実施例ではＸ１：Ｙ１と表記し、５４０はステップ５２０を実行したら所定期間後に図５に示したプログラムＢ２に進むことを指示するステップであり、５５０はステップ５３３を実行した結果がＸ１＝Ｙ１となったらプログラムＢ１を終了させるステップであり、５６０はステップ５３３を実行した結果がＸ１＜Ｙ１となったら所定期間後にＢ１に戻ることを指示するステップである。
【実施例５】
【００３９】  図１と図２と図５よりプログラムＢ２の機能を説明する。６００はステップ２５０による利用者の移動通信端末Ｔ１又はＴ２又はＴ３に対してＮＦ２対策部５７を実行するステップを示し、６１０はステップ６００の表示情報に対して利用者Ｃ１又は利用者Ｃ２又は利用者Ｃ３が利用するか否かを確認するステップを示し、６２０はステップ６１０に対して「利用する」反応を示した利用者を顧客ファイル５１に記録したり所定のポイントを付与したりするステップを示し、６３０はステップ６１０に対して「利用しない」反応を示した利用者を顧客ファイル５１に記録するステップを示し、６３１はステップ６３０を経た利用者の利用回数を記録するステップ（図示せず）でありステップ６３１の実施例としてＸ２と表記し、６３２はステップ６３１を介してプログラムＢ２の再利用回数を制限するステップ（図示せず）でありこの実施例ではＹ２と表記しＹ２は任意数であるが一例としてＹ２＝５とし、６３３はＸ２とＹ２を比較するステップでありこの実施例ではＸ２：Ｙ２と表記し、６４０はステップ６２０を実行したら所定期間後に図６に示したプログラムＢ３に進むことを指示するステップであり、６５０はステップ６３３を実行した結果がＸ２＝Ｙ２となったらプログラムＢ２を終了させるステップであり、６６０はステップ６３３を実行した結果がＸ２＜Ｙ２となったら所定期間後にＢ２に戻ることを指示するステップである。
【実施例６】
【００４０】  図１と図２と図６よりプログラムＢ３の機能を説明する。７００はステップ３５０による利用者の移動通信端末Ｔ１又はＴ２又はＴ３に対してＮＦ３対策部５８を実行するステップを示し、７１０はステップ７００の表示情報に対して利用者Ｃ１又は利用者Ｃ２又は利用者Ｃ３が利用するか否かを確認するステップを示し、７２０はステップ７１０に対して「利用する」反応を示した利用者を顧客ファイル５１に記録したり所定のポイントを付与したりするステップを示し、７３０はステップ７１０に対して「利用しない」反応を示した利用者を顧客ファイル５１に記録するステップを示し、７３１はステップ７３０を経た利用者の利用回数を記録するステップ（図示せず）でありステップ７３１の実施例としてＸ３と表記し、７３２はステップ７３１を介してプログラムＢ３の再利用回数を制限するステップ（図示せず）でありこの実施例ではＹ３と表記しＹ３は任意数であるが一例としてＹ３＝５とし、７３３はＸ３とＹ３を比較するステップでありこの実施例ではＸ３：Ｙ３と表記し、７４０はステップ７２０を実行したら所定期間後に図７に示したプログラムＢ４に進むことを指示するステップであり、７５０はステップ７３３を実行した結果がＸ３＝Ｙ３となったらプログラムＢ３を終了させるステップであり、７６０はステップ７３３を実行した結果がＸ３＜Ｙ３となったら所定期間後にＢ３に戻ることを指示するステップである。
【実施例７】
【００４１】  図１と図３と図７よりプログラムＢ４を説明する。８００はステップ４５０による利用者の移動通信端末Ｔ１又はＴ２又はＴ３に対してＮＦ４対策部５９を実行するステップを示し、８１０はステップ８００の表示情報に対して利用者Ｃ１又は利用者Ｃ２又は利用者Ｃ３が利用するか否かを確認するステップを示し、８２０はステップ８１０に対して「利用する」反応を示した利用者を顧客ファイル５１に記録したり所定のポイントを付与したりするステップを示し、８３０はステップ８１０に対して「利用しない」反応を示した利用者を顧客ファイル５１に記録するステップを示し、８３１はステップ８３０を経た利用者の利用回数を記録するステップ（図示せず）でありステップ８３１の実施例としてＸ４と表記し、８３２はステップ８３１を介してプログラムＢ４の再利用回数を制限するステップ（図示せず）でありこの実施例ではＹ４と表記しＹ４は任意数であるが一例としてＹ４＝５とし、８３３はＸ４とＹ４を比較するステップでありこの実施例ではＸ４：Ｙ４と表記し、８４０はステップ８２０を実行したら所定期間後にプログラムＡ１に戻ることを指示するステップであり、８５０はステップ８３３を実行した結果がＸ４＝Ｙ４となったらプログラムＢ４を終了させるステップであり、８６０はステップ７３３を実行した結果がＸ４＜Ｙ４となったら所定期間後にＢ４に戻ることを指示するステップである。【００４３】  上記実施の形態の説明は、本発明を説明するためのものであって、特許請求の範囲に記載の発明を限定し、或は範囲を減縮するものではない。又、本発明の各部構成は上記実施の形態に限らず、特許請求の範囲に記載の技術的範囲内で種々の変形が可能である。
【産業上の利用可能性】
【００４４】  本発明の駐車場の利用促進手段によって、従来の有料駐車場が、自動車に関する情報の収集場所と発信場所を兼ねることで自動車の有効利用を図ることが可能になり、産業上の利用価値が高いと判断できる。
【図面の簡単な説明】
【００４５】
【図１】本発明の概略を説明するブロック図である。
【図２】本発明の実施の形態例を示すフローチャート。
【図３】本発明の実施の形態例を示すフローチャート。
【図４】本発明のネガティブフィードバックの機能を説明するフローチャート。
【図５】本発明のネガティブフィードバックの機能を説明するフローチャート。
【図６】本発明のネガティブフィードバックの機能を説明するフローチャート。
【図７】本発明のネガティブフィードバックの機能を説明するフローチャート。
【符号の説明】
【００４６】Ｐ２：有料駐車場
Ｂ１：案内看板，Ｂ２：広告用看板，Ｒ１：印刷物
Ｔ１：移動通信端末，Ｔ２：移動通信端末，Ｔ３：移動通信端末
Ｃ１：利用者，Ｃ２：利用者，Ｃ３：利用者
ＩＮ：インターネット網，ＣＳ１：管理サーバー
Ｑ１：二次元バーコード，Ｑ２：二次元バーコード，Ｑ３：二次元バーコード
１０：誘導Ｗｅｂサイト，１１〜１９：誘導Ｗｅｂサイト１０で管理するコンテンツ
２０：Ｗｅｂサイト管理手段
２１〜２９：Ｗｅｂサイト管理手段２０で管理・制御するコンテンツやプログラム
３０：データ制御部，３１〜３９：駐車場利用促進情報データ
４０：データの制御部，４１〜４９：自動車関連設問データ
５０：顧客応答フィードバック手段，５１：顧客ファイル，５２：ＰＦ１対策部，
５３：ＰＦ２対策部，５４：ＰＦ３対策部，５５：ＰＦ４対策部，５６：ＮＦ１対策部，
５７：ＮＦ２対策部，５８：ＮＦ３対策部，５９：ＮＦ４対策部
ＰＦ１：ポジティブフィードバック１，ＰＦ２：ポジティブフィードバック２
ＰＦ３：ポジティブフィードバック３，ＰＦ４：ポジティブフィードバック４
ＮＦ１：ネガティブフィードバック１，ＮＦ２：ネガティブフィードバック２
ＮＦ３：ネガティブフィードバック３，ＮＦ４：ネガティブフィードバック４
【図１】
2012226718.tif 000003
【図２】
2012226718.tif 000004
【図３】
2012226718.tif 000005
【図４】
2012226718.tif 000006
【図５】
2012226718.tif 000007
【図６】
2012226718.tif 000008
【図７】
2012226718.tif 000009